(57)【要約】      （修正有）【課題】玄関収納スペースを傘が占有することがなく、収納自由度が得られる玄関収納構造を提供する。【解決手段】玄関に設置される下足入れ兼用の玄関収納構造１であって、傘、折畳式ベビーカー、スポーツ用品、ゴルフバッグ、掃き出しほうき、エアポンプ、靴べら等の長尺物品を床面７ａに起立させた状態で選択的に収納可能な縦収納スペース４を有し、縦収納スペース４の床面７ａの近傍で該縦収納スペース４の両側内面に一対の水受け支持部材が設けられ、該水受け支持部材に傘用水受皿１０が着脱可能に取り付けられる構成であることを特徴とする。【選択図】図１
0003160537.tif 000002
【実用新案登録請求の範囲】
【請求項１】
玄関に設置される下足入れ兼用の玄関収納構造であって、
傘、折畳式ベビーカー、スポーツ用品、ゴルフバッグ、掃き出しほうき、エアポンプ、靴べら等の長尺物品を床面に起立させた状態で選択的に収納可能な縦収納スペースを有し、
前記縦収納スペースの床面の近傍で該縦収納スペースの両側内面に一対の水受け支持部材が設けられ、
前記水受け支持部材に傘用水受皿が着脱可能に取り付けられることを特徴とする玄関収納構造。
【請求項２】
前記縦収納スペースの扉近傍で該縦収納スペースの両側内面に一対のバー支持部材が着脱可能に設けられ、
前記バー支持部材に前記長尺物品の転倒を防止する転倒防止用バーが着脱可能に設けられたことを特徴とする請求項１に記載の玄関収納構造。
【請求項３】
前記縦収納スペースの扉近傍で該縦収納スペースの両側内面に一対のバー支持部材の複数の組がそれぞれ異なる高さで着脱可能に設けられ、
前記縦収納スペースに傘以外の前記長尺物品を床面に自立させて収納する場合には、前記傘用水受皿を前記水受け支持部材から脱離すると共に、前記転倒防止用バーを移動することを特徴とする請求項１または請求項２に記載の玄関収納構造。
【請求項４】
前記転倒防止用バーはバー本体の一部に複数の大径部を設けたことを特徴とする請求項３に記載の玄関収納構造。
【請求項５】
前記転倒防止用バーはバー本体の外周にフックを設けたリング部材を回転自在に外装したことを特徴とする請求項３に記載の玄関収納構造。
【請求項６】
収納スペースの内面または前記収納スペースの扉の内面に、鍵、靴べら、洋服ブラシ等の小物を着脱自在に係止し得るアタッチネットを設けたことを特徴とする請求項１〜５の何れか１項に記載の玄関収納構造。
【請求項７】
前記縦収納スペースの内面または前記縦収納スペースの扉の内面に、折り畳み傘を着脱自在に係止し得るフックを設けたことを特徴とする請求項１〜６の何れか１項に記載の玄関収納構造。
【請求項８】
前記縦収納スペースの床面は玄関床面を共用したことを特徴とする請求項１〜７の何れか１項に記載の玄関収納構造。
【考案の詳細な説明】
【技術分野】
【０００１】
本考案は、玄関に設置される下足入れ兼用の玄関収納構造に関するものである。
【背景技術】
【０００２】
玄関には、靴、傘、コートや小さい子供がいる場合には折畳式ベビーカー、スポーツ用品、ゴルフバッグ等、生活スタイルによってさまざまな物が収納される。例えば、実開平３−２２７３５号公報（特許文献１）には乾いた傘と濡れた傘とを仕分ける仕切り部材を設けたものや、特開平９−３７８６０号公報（特許文献２）には履物の転倒を防止する転倒防止パイプと、該転倒防止パイプに沿って摺動可能かつ転倒防止パイプを軸として回動自在に設けられる複数の支持腕を設けたものが提案されている。
【先行技術文献】
【特許文献】
【０００３】
【特許文献１】実開平３−２２７３５号公報
【特許文献２】特開平９−３７８６０号公報
【考案の概要】
【考案が解決しようとする課題】
【０００４】
しかしながら、通常、傘を収納する場所は決まった場所が固定して使用される場合が多く、玄関収納スペースを傘が占有してしまい、収納自由度に欠けるという問題があった。
【０００５】
本考案は前記課題を解決するものであり、その目的とするところは、玄関収納スペースを傘が占有することがなく、収納自由度が得られる玄関収納構造を提供せんとするものである。
【課題を解決するための手段】
【０００６】
前記目的を達成するための本考案に係る玄関収納構造の第１の構成は、玄関に設置される下足入れ兼用の玄関収納構造であって、傘、折畳式ベビーカー、スポーツ用品、ゴルフバッグ、掃き出しほうき、エアポンプ、靴べら等の長尺物品を床面に起立させた状態で選択的に収納可能な縦収納スペースを有し、前記縦収納スペースの床面の近傍で該縦収納スペースの両側内面に一対の水受け支持部材が設けられ、前記水受け支持部材に傘用水受皿が着脱可能に取り付けられることを特徴とする。
【０００７】
また、本考案に係る玄関収納構造の第２の構成は、前記第１の構成において、前記縦収納スペースの扉近傍で該縦収納スペースの両側内面に一対のバー支持部材が着脱可能に設けられ、前記バー支持部材に前記長尺物品の転倒を防止する転倒防止用バーが着脱可能に設けられたことを特徴とする。
【０００８】
また、本考案に係る玄関収納構造の第３の構成は、前記第１、第２の構成において、前記縦収納スペースの扉近傍で該縦収納スペースの両側内面に一対のバー支持部材の複数の組がそれぞれ異なる高さで着脱可能に設けられ、前記縦収納スペースに傘以外の前記長尺物品を床面に自立させて収納する場合には、前記傘用水受皿を前記水受け支持部材から脱離すると共に、前記転倒防止用バーを移動することを特徴とする。
【０００９】
前記転倒防止用バーは取り外しても良いし、長尺物品の上方に設けられたバー支持部材にして装着し、該転倒防止用バーに傘の柄を引っ掛けて垂下させて収納することも出来る。
【００１０】
また、本考案に係る玄関収納構造の第４の構成は、前記第３の構成において、前記転倒防止用バーはバー本体の一部に複数の大径部を設けたことを特徴とする。
【００１１】
また、本考案に係る玄関収納構造の第５の構成は、前記第３の構成において、前記転倒防止用バーはバー本体の外周にフックを設けたリング部材を回転自在に外装したことを特徴とする。
【００１２】
また、本考案に係る玄関収納構造の第６の構成は、前記第１〜第５の構成において、収納スペースの内面または前記収納スペースの扉の内面に、鍵、靴べら、洋服ブラシ等の小物を着脱自在に係止し得るアタッチネットを設けたことを特徴とする。
【００１３】
また、本考案に係る玄関収納構造の第７の構成は、前記第１〜第６の構成において、前記縦収納スペースの内面または前記縦収納スペースの扉の内面に、折り畳み傘を着脱自在に係止し得るフックを設けたことを特徴とする。
【００１４】
また、本考案に係る玄関収納構造の第８の構成は、前記第１〜第７の構成において、前記縦収納スペースの床面は玄関床面を共用したことを特徴とする。
【考案の効果】
【００１５】
本考案に係る玄関収納構造の第１の構成によれば、縦収納スペース内に濡れ傘を収納する場合には、該縦収納スペースの両側内面に設けられた水受け支持部材に傘用水受皿を装着し、傘先を該傘用水受皿内で受けて縦収納スペース内で傘を起立させた状態で収納することが出来る。
【００１６】
また、本考案に係る玄関収納構造の第２の構成によれば、縦収納スペースの扉近傍で該縦収納スペースの両側内面に、該縦収納スペース内に収納する長尺部材の転倒を防止し得る高さ位置に対応して一対のバー支持部材を装着し、該長尺部材を縦収納スペース内に起立させた状態で収納し、バー支持部材に転倒防止用バーを装着することで、該転倒防止用バーにより長尺部材の転倒を防止することが出来る。
【００１７】
また、本考案に係る玄関収納構造の第３の構成によれば、縦収納スペースに傘以外の長尺物品を床面に自立させて収納する場合には、傘用水受皿を水受け支持部材から脱離し、転倒防止用バーを取り外すか、或いは該転倒防止用バーを長尺物品の上方に設けられたバー支持部材に移動して装着し、該転倒防止用バーに傘の柄を引っ掛けて垂下させて収納することが出来、縦収納スペースの有効活用が出来る。これにより、縦収納スペースを傘が占有することがなく、収納自由度が得られる。
【００１８】
また、本考案に係る玄関収納構造の第４の構成によれば、複数の大径部の間のバー本体に傘の柄を引っ掛けて垂下させて傘を所定の間隔で離間整理して収納することが出来る。
【００１９】
また、本考案に係る玄関収納構造の第５の構成によれば、フックに傘の柄を引っ掛けて垂下させて傘を所定の間隔で離間整理して収納することが出来、リング部材をバー本体の軸方向に移動可能に構成すれば傘を左右何れかの所望の方向に寄せることも出来る。
【００２０】
また、本考案に係る玄関収納構造の第６の構成によれば、収納スペースの内面または該収納スペースの扉の内面に設けたアタッチネットに鍵、靴べら、洋服ブラシ等の小物を着脱自在に係止して収納することで、鍵の定位置化により鍵を紛失することもなく、玄関周りで必要なものがすぐに取り出せる。
【００２１】
また、本考案に係る玄関収納構造の第７の構成によれば、縦収納スペースの内面または該縦収納スペースの扉の内面に設けたフックに折り畳み傘を着脱自在に係止して収納することができる。
【００２２】
また、本考案に係る玄関収納構造の第８の構成によれば、縦収納スペースの床面は玄関床面を共用したことで、重量があって車輪が設けられた折畳式ベビーカーを持ち上げることなく玄関床面から車輪を走行させて直接、縦収納スペース内に楽に収納することが出来る。
【図面の簡単な説明】
【００２３】
【図１】（ａ），（ｂ）は縦収納スペース内に濡れ傘を収納した様子を示す正面図及び側面説明図である。
【図２】（ａ）は着脱可能な傘用水受皿及び水受け支持部材の構成を示す平面説明図、（ｂ）は縦収納スペースの内面に水受け支持部材が着脱可能に取り付けられる様子を示す部分断面説明図、（ｃ）は傘用水受皿の構成を示す斜視説明図である。
【図３】（ａ）は着脱可能な転倒防止用バー及びバー支持部材の構成を示す斜視説明図、（ｂ），（ｃ）は転倒防止用バーの他の構成を示す図である。
【図４】（ａ）は縦収納スペース内に折畳式ベビーカーを収納し、その上部に移動して装着した転倒防止用バーに乾いた傘の柄を引っ掛けて垂下させて収納した様子を示す平面図及び正面説明図である。
【図５】（ａ），（ｂ）は縦収納スペース内に折畳式ベビーカーを収納すると共に、その上部に移動して装着した転倒防止用バーに乾いた傘の柄を引っ掛けて垂下させて収納した状態で縦収納スペースの扉を閉じた様子を示す正面図及び側面説明図である。
【考案を実施するための形態】
【００２４】
図により本考案に係る玄関収納構造の一実施形態を具体的に説明する。図１〜図５において、１は玄関に設置される下足入れ兼用の玄関収納構造である。図１（ａ）の左側スペースは靴等の下足入れスペース２とされており、該下足入れスペース２の棚板３の奥行きは靴箱のサイズに合わせて設定されている。
【００２５】
図１（ａ）の右側スペースは、傘５、折畳式ベビーカー６、スポーツ用品、ゴルフバッグ、掃き出しほうき、エアポンプ、靴べら等の長尺物品を床面に起立させた状態で選択的に収納可能な縦収納スペース４である。縦収納スペース４の床面７ａは玄関床面７を共用しており段差がなくフラットに構成される。
【００２６】
図３（ａ）に示すように、縦収納スペース４の両側内面４ａには複数の雌ネジ部９が一対ごとの組で互いに同じ高さで対面して両側内面４ａ内に埋設されている。図２に示すように、床面７ａの近傍で縦収納スペース４の両側内面４ａに埋設された雌ネジ部９には一対の水受け支持部材８のボルト部８ａが螺合締結され、該水受け支持部材８の先端部が両側内面４ａよりも縦収納スペース４の内部側に突出して設けられる。そして、図２（ｂ）、（ｃ）に示すように、水受け支持部材８に傘用水受皿10の側面底部に形成された嵌合溝10ａを嵌合して傘用水受皿10が水受け支持部材８に対して着脱可能に取り付けられる。
【００２７】
また、縦収納スペース４の扉11の近傍で該縦収納スペース４の両側内面４ａに埋設された雌ネジ部９には、図３（ａ）に示すように、一対のバー支持部材12のボルト部となる皿ネジ13を螺合締結することにより着脱可能に設けられている。本実施形態のバー支持部材12は断面Ｕ字形の支持片12ａとその支持片12ａの片端部に接続された固定片12ｂとを有し、固定片12ｂの中央部に設けられた貫通孔に皿ネジ13を挿入し、断面Ｕ字形の支持片12ａの開放側を上方に向けた状態で該皿ネジ13を雌ネジ部９に螺合締結することで、バー支持部材12を縦収納スペース４の両側内面４ａに埋設された雌ネジ部９に装着することが出来る。そして、バー支持部材12の支持片12ａの開放側となる上方から転倒防止用バー14の両端部を断面Ｕ字形の支持片12ａ内に落とし込んで装着する。これにより、図１に示すように、転倒防止用バー14が長尺物品となる傘５の転倒を防止する。
【００２８】
また、縦収納スペース４の扉11の近傍で該縦収納スペース４の両側内面４ａには、一対のバー支持部材12の複数の組がそれぞれ異なる高さで着脱可能に設けられる。そして、縦収納スペース４に傘５以外の長尺物品として、例えば、図４及び図５に示すように、折畳式ベビーカー６を床面７ａに自立させて収納する場合には、傘用水受皿10を水受け支持部材８から脱離すると共に、転倒防止用バー14を長尺物品としての折畳式ベビーカー６の上方に設けられた他の一対のバー支持部材12に移動して装着し、該転倒防止用バー14に傘５の柄５ａを引っ掛けて垂下させて収納する。
【００２９】
図３（ａ）に示す転倒防止用バー14はストレート形状の円柱状または円筒状で構成した一例であるが、図３（ｂ）に示す転倒防止用バー14はバー本体14ａの一部に複数の大径部14ｂを設けたものである。これら複数の大径部14ｂの間のバー本体14ａに傘５の柄５ａを引っ掛けて垂下させて傘５を所定の間隔で離間整理して収納することが出来る。図３（ｃ）は転倒防止用バー14のバー本体14ａの一部に複数の小径部14ｃを設け、該小径部14ｃの外周にリング部材18を回転自在に外装し、該リング部材18の一部にフック18ａを回転自在に設けたものである。そして、フック18ａに傘５の柄５ａを引っ掛けて垂下させて傘５を所定の間隔で離間整理して収納することが出来る。尚、図示しないが、リング部材18をバー本体14ａの軸方向に移動可能に構成すれば傘19を左右何れかの所望の方向に寄せることも出来る。
【００３０】
また、縦収納スペース４や下足入れスペース２の内面または該縦収納スペース４や下足入れスペース２の扉11の内面には、鍵、靴べら、洋服ブラシ等の小物を着脱自在に係止し得るアタッチネット15が設けられている。
【００３１】
また、図４（ｂ）に示すように、縦収納スペース４の内面または該縦収納スペース４の扉11の内面には折り畳み傘19を着脱自在に係止し得るフック16が設けられている。
【００３２】
また、縦収納スペース４の両側内面４ａに埋設された雌ネジ部９に対して、縦収納スペース４の所定の位置に設置される棚板３を支持する支持ピン17のボルト部17ａ、水受け支持部材８のボルト部８ａ、バー支持部材12のボルト部となる皿ネジ13が共通して螺合可能に構成されている。
【００３３】
上記構成によれば、縦収納スペース４内に濡れ傘５を収納する場合には、該縦収納スペース４の両側内面４ａに設けられた水受け支持部材８に傘用水受皿10を装着し、傘先を該傘用水受皿10内で受けて縦収納スペース４内で傘５を起立させた状態で収納することが出来る。
【００３４】
また、縦収納スペース４の扉11の近傍で該縦収納スペース４の両側内面４ａに、該縦収納スペース４内に収納する長尺部材の転倒を防止し得る高さ位置に対応して一対のバー支持部材12を装着し、該長尺部材を縦収納スペース４内に起立させた状態で収納し、バー支持部材12に転倒防止用バー14を装着することで、該転倒防止用バー14により長尺部材の転倒を防止することが出来る。
【００３５】
また、縦収納スペース４に傘５以外の長尺物品を床面７ａに自立させて収納する場合には、傘用水受皿10を水受け支持部材８から脱離し、転倒防止用バー14を取り外すか、或いは該転倒防止用バー14を長尺物品の上方に設けられたバー支持部材12に移動して装着し、該転倒防止用バー14に傘５の柄５ａを引っ掛けて垂下させて収納することが出来、縦収納スペース４の有効活用が出来る。これにより、縦収納スペース４を傘５が占有することがなく、収納自由度が得られる。
【００３６】
また、転倒防止用バー14に設けた複数の大径部14ｂの間のバー本体14ａに傘５の柄５ａを引っ掛けて垂下させて傘５を所定の間隔で離間整理して収納することが出来る。
【００３７】
また、転倒防止用バー14のバー本体14ａに対して回転自在に外装したリング部材18に設けたフック18ａに傘５の柄５ａを引っ掛けて垂下させて傘５を所定の間隔で離間整理して収納することが出来、リング部材18をバー本体14ａの軸方向に移動可能に構成すれば傘５を左右何れかの所望の方向に寄せることも出来る。
【００３８】
また、縦収納スペース４や下足入れスペース２の内面または該縦収納スペース４や下足入れスペース２の扉11の内面に設けたアタッチネット15に鍵、靴べら、洋服ブラシ等の小物を着脱自在に係止して収納することで、鍵の定位置化により鍵を紛失することもなく、玄関周りで必要なものがすぐに取り出せる。
【００３９】
また、縦収納スペース４の内面または該縦収納スペース４の扉11の内面に設けたフック16に折り畳み傘19を着脱自在に係止して収納することができる。
【００４０】
また、縦収納スペース４の両側内面４ａに設けられた複数の雌ネジ部９に対して、縦収納スペース４の所定の位置に設置される棚板３を支持する支持ピン17のボルト部17ａを螺合締結することも出来、傘用水受皿10を装着する水受け支持部材８のボルト部８ａを螺合締結することも出来、転倒防止用バー14を装着するバー支持部材12のボルト部となる皿ネジ13を螺合締結することも出来、共通して使用できる雌ネジ部９に各種の機能を持たせたボルト部を螺合可能である。
【００４１】
また、縦収納スペース４の床面７ａは玄関床面７を共用したことで、重量があって車輪６ａが設けられた折畳式ベビーカー６を持ち上げることなく玄関床面７から車輪６ａを走行させて直接、縦収納スペース４内に楽に収納することが出来る。
【００４２】
尚、傘用水受皿10の他の例としては、支持ピン17により支持される棚板３に別部材の傘用水受皿を取り付けて構成することも出来る。また、支持ピン17や水受け支持部材８はボルト部17ａ，８ａと雌ネジ部９との螺合による取り付け以外にもピンと孔との嵌合による取り付けであっても良い。
【産業上の利用可能性】
【００４３】
本考案の活用例として、玄関に設置される下足入れ兼用の玄関収納構造に適用でき、建物とは別個に商品化される下足箱の構造としても適用可能である。
【符号の説明】
【００４４】
１    …玄関収納構造
２    …下足入れスペース
３    …棚板
４    …縦収納スペース
４ａ  …両側内面
５  …傘（長尺物品）
５ａ  …柄
６    …折畳式ベビーカー（長尺物品）
６ａ  …車輪
７    …玄関床面
７ａ  …縦収納スペースの床面
８    …水受け支持部材
８ａ  …ボルト部
９    …雌ネジ部
10    …傘用水受皿
10ａ  …嵌合溝
11    …扉
12    …バー支持部材
12ａ  …支持片
12ｂ  …固定片
13    …皿ネジ(ボルト部）
14    …転倒防止用バー
14ａ  …バー本体
14ｂ  …大径部
14ｃ  …小径部
15    …アタッチネット
16    …フック
17    …支持ピン
17ａ  …ボルト部
18    …リング部材
18ａ  …フック
19    …折り畳み傘
【図１】
0003160537.tif 000003
【図２】
0003160537.tif 000004
【図３】
0003160537.tif 000005
【図４】
0003160537.tif 000006
【図５】
0003160537.tif 000007
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
玄関に設置される下足入れ兼用の玄関収納構造であって、
傘、折畳式ベビーカー、スポーツ用品、ゴルフバッグ、掃き出しほうき、エアポンプ、靴べら等の長尺物品を床面に起立させた状態で選択的に収納可能な縦収納スペースを有し、
前記縦収納スペースの床面の近傍で該縦収納スペースの両側内面に一対の水受け支持部材が設けられ、
前記水受け支持部材に傘用水受皿が着脱可能に取り付けられることを特徴とする玄関収納構造。
【請求項２】
前記縦収納スペースの扉近傍で該縦収納スペースの両側内面に一対のバー支持部材が着脱可能に設けられ、
前記バー支持部材に前記長尺物品の転倒を防止する転倒防止用バーが着脱可能に設けられたことを特徴とする請求項１に記載の玄関収納構造。
【請求項３】
前記縦収納スペースの扉近傍で該縦収納スペースの両側内面に一対のバー支持部材の複数の組がそれぞれ異なる高さで着脱可能に設けられ、
前記縦収納スペースに傘以外の前記長尺物品を床面に自立させて収納する場合には、前記傘用水受皿を前記水受け支持部材から脱離すると共に、前記転倒防止用バーを移動することを特徴とする請求項２に記載の玄関収納構造。
【請求項４】
前記転倒防止用バーはバー本体の一部に複数の大径部を設けたことを特徴とする請求項３に記載の玄関収納構造。
【請求項５】
前記転倒防止用バーはバー本体の外周にフックを設けたリング部材を回転自在に外装したことを特徴とする請求項３に記載の玄関収納構造。
【請求項６】
前記縦収納スペースの内面、或いはそれ以外の前記玄関収納構造に設けられる収納スペースの内面または前記縦収納スペースの扉の内面、或いは前記収納スペースの扉の内面に、鍵、靴べら、洋服ブラシ等の小物を着脱自在に係止し得るアタッチネットを設けたことを特徴とする請求項１〜５の何れか１項に記載の玄関収納構造。
【請求項７】
前記縦収納スペースの内面または前記縦収納スペースの扉の内面に、折り畳み傘を着脱自在に係止し得るフックを設けたことを特徴とする請求項１〜６の何れか１項に記載の玄関収納構造。
【請求項８】
前記縦収納スペースの床面は玄関床面を共用したことを特徴とする請求項１〜７の何れか１項に記載の玄関収納構造。
【手続補正２】
【補正対象書類名】明細書
【補正対象項目名】全文
【補正方法】変更
【補正の内容】
【考案の詳細な説明】
【技術分野】
【０００１】
本考案は、玄関に設置される下足入れ兼用の玄関収納構造に関するものである。
【背景技術】
【０００２】
玄関には、靴、傘、コートや小さい子供がいる場合には折畳式ベビーカー、スポーツ用品、ゴルフバッグ等、生活スタイルによってさまざまな物が収納される。例えば、実開平３−２２７３５号公報（特許文献１）には乾いた傘と濡れた傘とを仕分ける仕切り部材を設けたものや、特開平９−３７８６０号公報（特許文献２）には履物の転倒を防止する転倒防止パイプと、該転倒防止パイプに沿って摺動可能かつ転倒防止パイプを軸として回動自在に設けられる複数の支持腕を設けたものが提案されている。
【先行技術文献】
【特許文献】
【０００３】
【特許文献１】実開平３−２２７３５号公報
【特許文献２】特開平９−３７８６０号公報
【考案の概要】
【考案が解決しようとする課題】
【０００４】
しかしながら、通常、傘を収納する場所は決まった場所が固定して使用される場合が多く、玄関収納スペースを傘が占有してしまい、収納自由度に欠けるという問題があった。
【０００５】
本考案は前記課題を解決するものであり、その目的とするところは、玄関収納スペースを傘が占有することがなく、収納自由度が得られる玄関収納構造を提供せんとするものである。
【課題を解決するための手段】
【０００６】
前記目的を達成するための本考案に係る玄関収納構造の第１の構成は、玄関に設置される下足入れ兼用の玄関収納構造であって、傘、折畳式ベビーカー、スポーツ用品、ゴルフバッグ、掃き出しほうき、エアポンプ、靴べら等の長尺物品を床面に起立させた状態で選択的に収納可能な縦収納スペースを有し、前記縦収納スペースの床面の近傍で該縦収納スペースの両側内面に一対の水受け支持部材が設けられ、前記水受け支持部材に傘用水受皿が着脱可能に取り付けられることを特徴とする。
【０００７】
また、本考案に係る玄関収納構造の第２の構成は、前記第１の構成において、前記縦収納スペースの扉近傍で該縦収納スペースの両側内面に一対のバー支持部材が着脱可能に設けられ、前記バー支持部材に前記長尺物品の転倒を防止する転倒防止用バーが着脱可能に設けられたことを特徴とする。
【０００８】
また、本考案に係る玄関収納構造の第３の構成は、前記第２の構成において、前記縦収納スペースの扉近傍で該縦収納スペースの両側内面に一対のバー支持部材の複数の組がそれぞれ異なる高さで着脱可能に設けられ、前記縦収納スペースに傘以外の前記長尺物品を床面に自立させて収納する場合には、前記傘用水受皿を前記水受け支持部材から脱離すると共に、前記転倒防止用バーを移動することを特徴とする。
【０００９】
前記転倒防止用バーは取り外しても良いし、長尺物品の上方に設けられたバー支持部材にして装着し、該転倒防止用バーに傘の柄を引っ掛けて垂下させて収納することも出来る。
【００１０】
また、本考案に係る玄関収納構造の第４の構成は、前記第３の構成において、前記転倒防止用バーはバー本体の一部に複数の大径部を設けたことを特徴とする。
【００１１】
また、本考案に係る玄関収納構造の第５の構成は、前記第３の構成において、前記転倒防止用バーはバー本体の外周にフックを設けたリング部材を回転自在に外装したことを特徴とする。
【００１２】
また、本考案に係る玄関収納構造の第６の構成は、前記第１〜第５の構成において、前記縦収納スペースの内面、或いはそれ以外の前記玄関収納構造に設けられる収納スペースの内面または前記縦収納スペースの扉の内面、或いは前記収納スペースの扉の内面に、鍵、靴べら、洋服ブラシ等の小物を着脱自在に係止し得るアタッチネットを設けたことを特徴とする。
【００１３】
また、本考案に係る玄関収納構造の第７の構成は、前記第１〜第６の構成において、前記縦収納スペースの内面または前記縦収納スペースの扉の内面に、折り畳み傘を着脱自在に係止し得るフックを設けたことを特徴とする。
【００１４】
また、本考案に係る玄関収納構造の第８の構成は、前記第１〜第７の構成において、前記縦収納スペースの床面は玄関床面を共用したことを特徴とする。
【考案の効果】
【００１５】
本考案に係る玄関収納構造の第１の構成によれば、縦収納スペース内に濡れ傘を収納する場合には、該縦収納スペースの両側内面に設けられた水受け支持部材に傘用水受皿を装着し、傘先を該傘用水受皿内で受けて縦収納スペース内で傘を起立させた状態で収納することが出来る。
【００１６】
また、本考案に係る玄関収納構造の第２の構成によれば、縦収納スペースの扉近傍で該縦収納スペースの両側内面に、該縦収納スペース内に収納する長尺部材の転倒を防止し得る高さ位置に対応して一対のバー支持部材を装着し、該長尺部材を縦収納スペース内に起立させた状態で収納し、バー支持部材に転倒防止用バーを装着することで、該転倒防止用バーにより長尺部材の転倒を防止することが出来る。
【００１７】
また、本考案に係る玄関収納構造の第３の構成によれば、縦収納スペースに傘以外の長尺物品を床面に自立させて収納する場合には、傘用水受皿を水受け支持部材から脱離し、転倒防止用バーを取り外すか、或いは該転倒防止用バーを長尺物品の上方に設けられたバー支持部材に移動して装着し、該転倒防止用バーに傘の柄を引っ掛けて垂下させて収納することが出来、縦収納スペースの有効活用が出来る。これにより、縦収納スペースを傘が占有することがなく、収納自由度が得られる。
【００１８】
また、本考案に係る玄関収納構造の第４の構成によれば、複数の大径部の間のバー本体に傘の柄を引っ掛けて垂下させて傘を所定の間隔で離間整理して収納することが出来る。
【００１９】
また、本考案に係る玄関収納構造の第５の構成によれば、フックに傘の柄を引っ掛けて垂下させて傘を所定の間隔で離間整理して収納することが出来、リング部材をバー本体の軸方向に移動可能に構成すれば傘を左右何れかの所望の方向に寄せることも出来る。
【００２０】
また、本考案に係る玄関収納構造の第６の構成によれば、縦収納スペースの内面、或いはそれ以外の玄関収納構造に設けられる収納スペースの内面または縦収納スペースの扉の内面、或いはそれ以外の収納スペースの扉の内面に設けたアタッチネットに鍵、靴べら、洋服ブラシ等の小物を着脱自在に係止して収納することで、鍵の定位置化により鍵を紛失することもなく、玄関周りで必要なものがすぐに取り出せる。
【００２１】
また、本考案に係る玄関収納構造の第７の構成によれば、縦収納スペースの内面または該縦収納スペースの扉の内面に設けたフックに折り畳み傘を着脱自在に係止して収納することができる。
【００２２】
また、本考案に係る玄関収納構造の第８の構成によれば、縦収納スペースの床面は玄関床面を共用したことで、重量があって車輪が設けられた折畳式ベビーカーを持ち上げることなく玄関床面から車輪を走行させて直接、縦収納スペース内に楽に収納することが出来る。
【図面の簡単な説明】
【００２３】
【図１】（ａ），（ｂ）は縦収納スペース内に濡れ傘を収納した様子を示す正面図及び側面説明図である。
【図２】（ａ）は着脱可能な傘用水受皿及び水受け支持部材の構成を示す平面説明図、（ｂ）は縦収納スペースの内面に水受け支持部材が着脱可能に取り付けられる様子を示す部分断面説明図、（ｃ）は傘用水受皿の構成を示す斜視説明図である。
【図３】（ａ）は着脱可能な転倒防止用バー及びバー支持部材の構成を示す斜視説明図、（ｂ），（ｃ）は転倒防止用バーの他の構成を示す図である。
【図４】（ａ）は縦収納スペース内に折畳式ベビーカーを収納し、その上部に移動して装着した転倒防止用バーに乾いた傘の柄を引っ掛けて垂下させて収納した様子を示す平面図及び正面説明図である。
【図５】（ａ），（ｂ）は縦収納スペース内に折畳式ベビーカーを収納すると共に、その上部に移動して装着した転倒防止用バーに乾いた傘の柄を引っ掛けて垂下させて収納した状態で縦収納スペースの扉を閉じた様子を示す正面図及び側面説明図である。
【考案を実施するための形態】
【００２４】
図により本考案に係る玄関収納構造の一実施形態を具体的に説明する。図１〜図５において、１は玄関に設置される下足入れ兼用の玄関収納構造である。図１（ａ）の左側スペースは靴等の下足入れスペース２とされており、該下足入れスペース２の棚板３の奥行きは靴箱のサイズに合わせて設定されている。
【００２５】
図１（ａ）の右側スペースは、傘５、折畳式ベビーカー６、スポーツ用品、ゴルフバッグ、掃き出しほうき、エアポンプ、靴べら等の長尺物品を床面に起立させた状態で選択的に収納可能な縦収納スペース４である。縦収納スペース４の床面７ａは玄関床面７を共用しており段差がなくフラットに構成される。
【００２６】
図３（ａ）に示すように、縦収納スペース４の両側内面４ａには複数の雌ネジ部９が一対ごとの組で互いに同じ高さで対面して両側内面４ａ内に埋設されている。図２に示すように、床面７ａの近傍で縦収納スペース４の両側内面４ａに埋設された雌ネジ部９には一対の水受け支持部材８のボルト部８ａが螺合締結され、該水受け支持部材８の先端部が両側内面４ａよりも縦収納スペース４の内部側に突出して設けられる。そして、図２（ｂ）、（ｃ）に示すように、水受け支持部材８に傘用水受皿10の側面底部に形成された嵌合溝10ａを嵌合して傘用水受皿10が水受け支持部材８に対して着脱可能に取り付けられる。
【００２７】
また、縦収納スペース４の扉11の近傍で該縦収納スペース４の両側内面４ａに埋設された雌ネジ部９には、図３（ａ）に示すように、一対のバー支持部材12のボルト部となる皿ネジ13を螺合締結することにより着脱可能に設けられている。本実施形態のバー支持部材12は断面Ｕ字形の支持片12ａとその支持片12ａの片端部に接続された固定片12ｂとを有し、固定片12ｂの中央部に設けられた貫通孔に皿ネジ13を挿入し、断面Ｕ字形の支持片12ａの開放側を上方に向けた状態で該皿ネジ13を雌ネジ部９に螺合締結することで、バー支持部材12を縦収納スペース４の両側内面４ａに埋設された雌ネジ部９に装着することが出来る。そして、バー支持部材12の支持片12ａの開放側となる上方から転倒防止用バー14の両端部を断面Ｕ字形の支持片12ａ内に落とし込んで装着する。これにより、図１に示すように、転倒防止用バー14が長尺物品となる傘５の転倒を防止する。
【００２８】
また、縦収納スペース４の扉11の近傍で該縦収納スペース４の両側内面４ａには、一対のバー支持部材12の複数の組がそれぞれ異なる高さで着脱可能に設けられる。そして、縦収納スペース４に傘５以外の長尺物品として、例えば、図４及び図５に示すように、折畳式ベビーカー６を床面７ａに自立させて収納する場合には、傘用水受皿10を水受け支持部材８から脱離すると共に、転倒防止用バー14を長尺物品としての折畳式ベビーカー６の上方に設けられた他の一対のバー支持部材12に移動して装着し、該転倒防止用バー14に傘５の柄５ａを引っ掛けて垂下させて収納する。
【００２９】
図３（ａ）に示す転倒防止用バー14はストレート形状の円柱状または円筒状で構成した一例であるが、図３（ｂ）に示す転倒防止用バー14はバー本体14ａの一部に複数の大径部14ｂを設けたものである。これら複数の大径部14ｂの間のバー本体14ａに傘５の柄５ａを引っ掛けて垂下させて傘５を所定の間隔で離間整理して収納することが出来る。図３（ｃ）は転倒防止用バー14のバー本体14ａの一部に複数の小径部14ｃを設け、該小径部14ｃの外周にリング部材18を回転自在に外装し、該リング部材18の一部にフック18ａを回転自在に設けたものである。そして、フック18ａに傘５の柄５ａを引っ掛けて垂下させて傘５を所定の間隔で離間整理して収納することが出来る。尚、図示しないが、リング部材18をバー本体14ａの軸方向に移動可能に構成すれば傘19を左右何れかの所望の方向に寄せることも出来る。
【００３０】
また、縦収納スペース４や下足入れスペース２の内面または該縦収納スペース４や下足入れスペース２の扉11の内面には、鍵、靴べら、洋服ブラシ等の小物を着脱自在に係止し得るアタッチネット15が設けられている。
【００３１】
また、図４（ｂ）に示すように、縦収納スペース４の内面または該縦収納スペース４の扉11の内面には折り畳み傘19を着脱自在に係止し得るフック16が設けられている。
【００３２】
また、縦収納スペース４の両側内面４ａに埋設された雌ネジ部９に対して、縦収納スペース４の所定の位置に設置される棚板３を支持する支持ピン17のボルト部17ａ、水受け支持部材８のボルト部８ａ、バー支持部材12のボルト部となる皿ネジ13が共通して螺合可能に構成されている。
【００３３】
上記構成によれば、縦収納スペース４内に濡れ傘５を収納する場合には、該縦収納スペース４の両側内面４ａに設けられた水受け支持部材８に傘用水受皿10を装着し、傘先を該傘用水受皿10内で受けて縦収納スペース４内で傘５を起立させた状態で収納することが出来る。
【００３４】
また、縦収納スペース４の扉11の近傍で該縦収納スペース４の両側内面４ａに、該縦収納スペース４内に収納する長尺部材の転倒を防止し得る高さ位置に対応して一対のバー支持部材12を装着し、該長尺部材を縦収納スペース４内に起立させた状態で収納し、バー支持部材12に転倒防止用バー14を装着することで、該転倒防止用バー14により長尺部材の転倒を防止することが出来る。
【００３５】
また、縦収納スペース４に傘５以外の長尺物品を床面７ａに自立させて収納する場合には、傘用水受皿10を水受け支持部材８から脱離し、転倒防止用バー14を取り外すか、或いは該転倒防止用バー14を長尺物品の上方に設けられたバー支持部材12に移動して装着し、該転倒防止用バー14に傘５の柄５ａを引っ掛けて垂下させて収納することが出来、縦収納スペース４の有効活用が出来る。これにより、縦収納スペース４を傘５が占有することがなく、収納自由度が得られる。
【００３６】
また、転倒防止用バー14に設けた複数の大径部14ｂの間のバー本体14ａに傘５の柄５ａを引っ掛けて垂下させて傘５を所定の間隔で離間整理して収納することが出来る。
【００３７】
また、転倒防止用バー14のバー本体14ａに対して回転自在に外装したリング部材18に設けたフック18ａに傘５の柄５ａを引っ掛けて垂下させて傘５を所定の間隔で離間整理して収納することが出来、リング部材18をバー本体14ａの軸方向に移動可能に構成すれば傘５を左右何れかの所望の方向に寄せることも出来る。
【００３８】
また、縦収納スペース４や下足入れスペース２の内面または該縦収納スペース４や下足入れスペース２の扉11の内面に設けたアタッチネット15に鍵、靴べら、洋服ブラシ等の小物を着脱自在に係止して収納することで、鍵の定位置化により鍵を紛失することもなく、玄関周りで必要なものがすぐに取り出せる。
【００３９】
また、縦収納スペース４の内面または該縦収納スペース４の扉11の内面に設けたフック16に折り畳み傘19を着脱自在に係止して収納することができる。
【００４０】
また、縦収納スペース４の両側内面４ａに設けられた複数の雌ネジ部９に対して、縦収納スペース４の所定の位置に設置される棚板３を支持する支持ピン17のボルト部17ａを螺合締結することも出来、傘用水受皿10を装着する水受け支持部材８のボルト部８ａを螺合締結することも出来、転倒防止用バー14を装着するバー支持部材12のボルト部となる皿ネジ13を螺合締結することも出来、共通して使用できる雌ネジ部９に各種の機能を持たせたボルト部を螺合可能である。
【００４１】
また、縦収納スペース４の床面７ａは玄関床面７を共用したことで、重量があって車輪６ａが設けられた折畳式ベビーカー６を持ち上げることなく玄関床面７から車輪６ａを走行させて直接、縦収納スペース４内に楽に収納することが出来る。
【００４２】
尚、傘用水受皿10の他の例としては、支持ピン17により支持される棚板３に別部材の傘用水受皿を取り付けて構成することも出来る。また、支持ピン17や水受け支持部材８はボルト部17ａ，８ａと雌ネジ部９との螺合による取り付け以外にもピンと孔との嵌合による取り付けであっても良い。
【産業上の利用可能性】
【００４３】
本考案の活用例として、玄関に設置される下足入れ兼用の玄関収納構造に適用でき、建物とは別個に商品化される下足箱の構造としても適用可能である。
【符号の説明】
【００４４】
１    …玄関収納構造
２    …下足入れスペース
３    …棚板
４    …縦収納スペース
４ａ  …両側内面
５  …傘（長尺物品）
５ａ  …柄
６    …折畳式ベビーカー（長尺物品）
６ａ  …車輪
７    …玄関床面
７ａ  …縦収納スペースの床面
８    …水受け支持部材
８ａ  …ボルト部
９    …雌ネジ部
10    …傘用水受皿
10ａ  …嵌合溝
11    …扉
12    …バー支持部材
12ａ  …支持片
12ｂ  …固定片
13    …皿ネジ(ボルト部）
14    …転倒防止用バー
14ａ  …バー本体
14ｂ  …大径部
14ｃ  …小径部
15    …アタッチネット
16    …フック
17    …支持ピン
17ａ  …ボルト部
18    …リング部材
18ａ  …フック
19    …折り畳み傘